(57)【要約】      （修正有）【課題】低コストで盗難防止も図れるタッチパネル式表示具を提供する。【解決手段】タッチパネル式表示具は、四方に表示部２１Ａ、２１Ｂ、２１Ｃ、２１Ｄを有し、中央に表示部２０を有するガラス製の天板２と、４本の脚３、３、３、３からなるテーブル１である。各表示部２１Ａ、２１Ｂ、２１Ｃ、２１Ｄの下方に配設された既製のタブレット端末は、表示部２１Ａ、２１Ｂ、２１Ｃ、２１Ｄのフレキシブルプリント回路基板を介して、テーブル１に供えられたタッチパネル機能を駆動する。各表示部２１Ａ、２１Ｂ、２１Ｃ、２１Ｄを使用する際には、タブレット端末はタブレット端末に備えられたタッチパネルセンサとの電気的接続を遮断し、表示部２１Ａ、２１Ｂ、２１Ｃ、２１Ｄのフレキシブルプリント回路基板と電気的に接続されタッチ操作可能となる。【選択図】図１
2017097593.tif 000002
【特許請求の範囲】
【請求項１】
スマートフォンあるいはタブレット端末と接続されるタッチパネル式表示具であって、
タッチパネルセンサを備えた透明基板と、
前記スマートフォンあるいはタブレット端末に備えられたタッチパネルセンサとの電気的接続を遮断するとともに前記透明基板と電気的に接続され静電容量方式のタッチパネル機能を作動させる接続手段と、を備えること
を特徴とするタッチパネル式表示具。
【請求項２】
前記透明基板はガラス製であることを特徴とする請求項１に記載のタッチパネル式表示具。
【発明の詳細な説明】
【技術分野】
【０００１】
本発明は、タッチパネル式表示具に係り、特に設置型のタッチパネルに適用するのに好適なタッチパネル式表示具に関する。
【背景技術】
【０００２】
近年、タッチパネルが付いたスマートフォンやタブレット端末が急速に普及しており、キーボード等を操作することなくタッチ操作だけで文字入力、画面の拡大操作、クリック操作等ができることから、会議や宿泊施設等様々な場面で使用されるようになってきている。
【０００３】
例えば、ホテルの各部屋にタブレット端末を置いておけば、その土地のグルメ情報や観光名所等が気軽に調べられることから顧客満足度向上の観点から好適であるが、盗難のおそれがあるといった問題もある。
【０００４】
盗難防止が図れるタッチパネルとして、特許文献１に記載の情報端末テーブルがある。この情報端末テーブルは、天板にタッチパネル部及び媒体読取部を設けたテーブルである。この情報端末テーブルによれば、タッチパネル部が天板に設けられていることから、容易にタッチパネルを使用できるとともに、盗難の防止も図れる。
【先行技術文献】
【特許文献】
【０００５】
【特許文献１】特開２００２−２３６９７２号公報
【発明の概要】
【発明が解決しようとする課題】
【０００６】
しかしながら、情報端末テーブルは天板全面にタッチパネル部が設けられており、タッチパネルは面積が広くなるほどコストが高くなることから製造コストが高くなってしまうという問題が生ずる。また、通常の大型情報端末テーブルは、１つの画面を分割して表示することができるが、分割表示それぞれについて外部から個別に情報を送受信して表示させることは出来ないといった問題もある。この問題点を解決するための方法として、例えば、既存のタブレット端末をガラス製の天板の下に複数配設するということも考えられる。このような構造とすれば、製造コストを低くすることができるとともに、各タブレット端末においては外部から個別に情報を送受信することができるので好適である。しかしながら、発明者が２ｍｍのガラス板の下にタブレット端末を置いて、タッチ操作可能か否かの実験を行ったところ、全く操作できなかった。
【０００７】
本発明はこのような事情に鑑みてなされたもので、低コストで盗難防止も図れるタッチパネル式表示具を提供することを目的とする。
【課題を解決するための手段】
【０００８】
前記の目的を達成するために、スマートフォンあるいはタブレット端末と接続されるタッチパネル式表示具であって、タッチパネルセンサを備えた透明基板と、前記スマートフォンあるいはタブレット端末に備えられたタッチパネルセンサとの電気的接続を遮断するとともに前記透明基板と電気的に接続され静電容量方式のタッチパネル機能を作動させる接続手段と、を備えることを特徴とする。
【０００９】
また、前記透明基板はガラス製であってもよい。
【発明の効果】
【００１０】
本発明のタッチパネル式表示具によれば、スマートフォンあるいはタブレット端末と接続されるタッチパネル式表示具であって、タッチパネルセンサを備えた透明基板と、前記スマートフォンあるいはタブレット端末に備えられたタッチパネルセンサとの電気的接続を遮断するとともに前記透明基板と電気的に接続され静電容量方式のタッチパネル機能を作動させる接続手段と、を備えるように構成した。これにより、低コストで盗難防止も図れるといった効果がある。
【図面の簡単な説明】
【００１１】
【図１】本発明に係るタッチパネル式表示具を使用したテーブルの斜視図。
【図２】（ａ）はテーブルの上面図、（ｂ）は（ａ）のＬ部分の拡大図。
【図３】Ｌ部分のＡ−Ａ矢視概略断面図。
【図４】タッチパネルセンサの構造を説明するための模式図。
【図５】テーブルの構成を示すブロック図。
【図６】本発明のタッチパネル式表示具を使用したデジタルサイネージの斜視図。
【発明を実施するための形態】
【００１２】
以下、本発明を実施するための形態について、図面を参照しながら説明する。
【００１３】
図１は、本発明に係るタッチパネル式表示具をテーブルに使用した実施形態を示している。テーブル１は、天板２と４本の脚３、３、３、３からなる。天板２はガラスからなり、天板２には加飾が施されている加飾部２２と、加飾が施されておらず、かつ下方にタブレット端末が配置された表示部２０、２１Ａ、２１Ｂ、２１Ｃ、２１Ｄと、からなる。該加飾部２２は、天板２の裏面側にスクリーン印刷等によって形成されている。各表示部の下方にはタブレット端末が配設されている。
【００１４】
すべての表示部の構造は同様であることから、その構造を表示部２１Ｄを一例として説明すると、図３は図２（ｂ）に示すＡ−Ａ矢視概略断面図であり、図に示すとおり２点鎖線の間の領域が図２（ａ）に示す２１Ｄ部分である。
【００１５】
図３に示すとおり、一番上の層がガラス製の天板２であり、その裏面側には各表示部２０、２１Ａ、２１Ｂ、２１Ｃ、２１Ｄ部分を中抜きした加飾部２２が設けられ、その下層にはタッチパネルセンサ４が設けられている。この表示部が本発明の透明基板となる。なお、本実施形態においては、天板をガラス製で形成したが樹脂製であってもよい。
【００１６】
また、その下方には空気層４１を介してタブレット端末５が配設されており、天板２側からタブレット端末５に表示された画面が視認可能となっている。
【００１７】
図４にはタッチパネルセンサ４が図示されており、タッチパネルセンサ４は、Ｙ電極４１０とＸ電極４２０とがＯＣＡあるいはＯＣＲからなる粘着層４３０によって貼り合わされている。表示部２１Ｄの下方に配設されたタブレット端末５とフレキシブルプリント回路基板ＦＰＣ４４０とは、マイクロコンピュータ６Ｄ（接続手段）を介して接続されている。本発明においては、既製のタブレット端末を使用しているので該タブレット端末の有する機能をそのまま利用できるとともに、製造コストも低く抑えることができる。
【００１８】
また、マイクロコンピュータ６Ｄはタブレット端末５との接続ドライバを有しており、表示部２１Ｄを使用する際には、タブレット端末５に備えられたタッチパネルセンサとの電気的接続を遮断し、表示部２１Ｄのフレキシブルプリント回路基板ＦＰＣ４４０と電気的に接続されるようになっている。従って、表示部２１Ｄを使用する際には、テーブル１に設けられたタッチパネルセンサ４のタッチパネル機能を使用してタブレット端末５をタッチ操作することとなる。このことから、本発明においては、テーブルの天板の厚みが厚くてもタブレット端末をタッチ操作することが可能となる。
【００１９】
次に、テーブル１のシステム構成について図５を参照して説明する。図５に示すとおりテーブル１の四方向に配設された表示部２１Ａ、２１Ｂ、２１Ｃ、２１Ｄは各マイクロコンピュータ６Ａ、６Ｂ、６Ｃ、６Ｄを介して統括コンピュータ７に接続されている。統括コンピュータ７はテーブル１の中央に配設された表示部２０に接続されている。統括コンピュータ７は、例えば、各表示部２１Ａ、２１Ｂ、２１Ｃ、２１Ｄに表示された画像を表示部２０に転送して表示されるように制御したり、表示部２１Ａ、２１Ｂ、２１Ｃ、２１Ｄと表示部２０との動作処理を連動するよう制御したり、表示部２０に表示された画像を各表示部２１Ａ、２１Ｂ、２１Ｃ、２１Ｄに表示させたりする等予めプログラムされた機能を使用して表示部全体の画像制御が可能なように構成されている。なお、本実施形態においては、表示部２０とその下方に配設されたタブレット端末５との接続手段にもなっている。
【００２０】
以上説明したように、本発明のタッチパネル式表示具を適用したテーブルによれば、既製のタブレット端末を使用するので、タブレット端末の有するタッチ機能、通信機能等を使用することができ、製造コストも低く抑えることができる。また、天板２の下に既製のタブレット端末を配設するという構成なので、タブレット端末の盗難を防止することができるとともに、テーブル表面をフラットにすることができることから意匠性も高い。また、タブレット端末を天板の下に配設することにより、それぞれのタブレット端末の機能で単独で処理が可能になり、天板の加工が可能な限り複数台のタブレット端末を取り付けることができる。
【００２１】
なお、上記実施形態においては、本発明のタッチパネル式表示具をテーブルに使用した例について説明したが、例えば、図６に示すようなデジタルサイネージ１００に適用することもできる。図６に示すデジタルサイネージ１００は、大きな表示部２００の下側に小さな表示部２１０Ａ、２１０Ｂ、２１０Ｃ、２１０Ｄが配設されている。各表示部の配置を除けば上記実施形態におけるテーブル１の脚３、３、３、３を除いた部分を広告板、案内板等として利用されるデジタルサイネージに適用した形態である。このような形態とすれば、例えば、タブレット端末の通信機能を使用して検索することができたり、広告や観光情報をネット配信し表示させることができる。
【符号の説明】
【００２２】
１      テーブル
２      天板
２０    表示部
２１Ａ、２１Ｂ、２１Ｃ、２１Ｃ  表示部
２２    加飾部
３      脚
４      タッチパネルセンサ
４１    空気層
４１０  Ｙ電極
４２０  Ｘ電極
４３０  粘着層
４４０  ＦＰＣ
５      タブレット端末
６Ａ、６Ｂ、６Ｃ、６Ｄ  マイクロコンピュータ
７      統括コンピュータ
１００  デジタルサイネージ
２００  表示部
２１０Ａ、２１０Ｂ、２１０Ｃ、２１０Ｄ  表示部
【図１】
2017097593.tif 000003
【図２】
2017097593.tif 000004
【図３】
2017097593.tif 000005
【図４】
2017097593.tif 000006
【図５】
2017097593.tif 000007
【図６】
2017097593.tif 000008